(57)【要約】【課題】従来よりも設置が行いやすいうえコストも抑えることができる漏水検知センサ、及びこの漏水検知センサを備える漏水検知器具を提案する。【解決手段】本発明は、複数本の導電性部５と導電性部５の間を絶縁する絶縁性部６とを備える紐状の漏水検知センサであって、導電性部５は導電性繊維で形成され、絶縁性部６は透水性繊維で形成されることを特徴とする。【選択図】図１
2017173161.tif 000002
【特許請求の範囲】
【請求項１】
複数本の導電性部と該導電性部の間を絶縁する絶縁性部とを備える紐状の漏水検知センサであって、
前記導電性部は導電性繊維で形成され、前記絶縁性部は透水性繊維で形成される漏水検知センサ。
【請求項２】
前記漏水検知センサは偏平な紐状であって、前記導電性部は、該漏水検知センサの少なくとも一端部片面において露出してなる請求項１に記載の漏水検知センサ。
【請求項３】
請求項２に記載の漏水検知センサと、該漏水検知センサに接続される接続部を有する漏水検知器具本体とを備え、
前記接続部は、前記導電性部のそれぞれに導通する複数の電極を備える一面部と、該一面部との間で該漏水検知センサの一端部を挟み込む他面部とを備える漏水検知器具。
【発明の詳細な説明】
【技術分野】
【０００１】
本発明は、建物の床下などに這わせて使用する漏水検知センサ、及びこの漏水検知センサと漏水検知センサを接続する漏水検知器具本体とを備える漏水検知器具に関する。
【背景技術】
【０００２】
従来、建物の床下など、建物内部で生じた漏水を検出する漏水検知器具としては、床下などに這わせて設置される漏水検知センサと、漏水検知センサを接続する漏水検知器具本体とを備えるものが知られている。漏水検知センサは、相互間が絶縁されている複数本の導電性部を有している。また漏水検知器具本体は、漏水検知センサの導電性部間が導通された状態になるとアラーム等の警報を発するように構成されている。そして、床下などで漏水が生じて長く延在する漏水検知センサの一部が濡れると、水を介して導電性部間が導通し、これによって漏水検知器具本体から警報が発せられるため、漏水の発生を検知することができる。
【０００３】
従来の漏水検知センサとしては、特許文献１に示されているような２本の導電性ケーブルの間に絶縁性ケーブルを配置してこれらを束ねることで導電性ケーブル同士を離間させたものや、特許文献２に示されているような２本の導電性ケーブルが間隔をあけた状態で維持されるように８の字状に編組したものが知られている。
【先行技術文献】
【特許文献】
【０００４】
【特許文献１】特開２０１５−７２１６８号公報
【特許文献２】特開２０１３−２４６０６７号公報
【発明の概要】
【発明が解決しようとする課題】
【０００５】
ところで従来の漏水検知センサは、金属製の導電性ケーブルを使用しているためにコシが強く、狭い場所への設置が行い難いという問題がある。また、保管時の巻き癖も残りやすいため、当初は床下表面に対して真っ直ぐに設置されていても、徐々に床下表面から浮いてしまって漏水を検知できないおそれもある。一方、漏水検知センサを床下表面に固定すれば漏水検知の確実性は確保できるものの、固定作業に手間を要することになる。しかも金属製の導電性ケーブルはそれ自体も高価であるため、固定作業が必要になることと相俟って、費用が嵩むことになっていた。
【０００６】
更に、漏水検知センサを漏水検知器具本体に接続するにあたっては、例えば漏水検知センサの導電性ケーブルに圧着端子を取り付けなければならず、この点でも手間とコストがかかることになる。
【０００７】
本発明は、このような問題点を解決することを課題とするものであり、従来よりも設置が行いやすいうえコストも抑えることができる漏水検知センサを提供することを目的とする。更に、漏水検知センサと漏水検知器具本体との接続も簡単に行うことができる漏水検知器具を提供することを目的とする。
【課題を解決するための手段】
【０００８】
本発明は、複数本の導電性部と該導電性部の間を絶縁する絶縁性部とを備える紐状の漏水検知センサであって、前記導電性部は導電性繊維で形成され、前記絶縁性部は透水性繊維で形成される漏水検知センサである。
【０００９】
前記漏水検知センサは偏平な紐状であって、前記導電性部は、該漏水検知センサの少なくとも一端部片面において露出してなることが好ましい。
【００１０】
また本発明は、前記漏水検知センサと、該漏水検知センサに接続される接続部を有する漏水検知器具本体とを備える漏水検知器具であって、前記接続部は、前記導電性部のそれぞれに導通する複数の電極を備える一面部と、該一面部との間で該漏水検知センサの一端部を挟み込む他面部とを備える。
【発明の効果】
【００１１】
本発明の漏水検知センサは、複数本の導電性部とこれらの導電性部の間を絶縁する絶縁性部とを備え、紐状に形成されるものであって、導電性部は導電性繊維で形成され、絶縁性部は透水性繊維で形成される。すなわち本発明の漏水検知センサは、導電性部も絶縁性部も繊維で形成されているので柔軟性があり、床下表面に置くようにして這わせていくだけで設置することができる。また、導電性繊維及び透水性繊維とも市場で入手しやすいものが利用できるため、コストを抑えることができる。
【００１２】
また本発明の漏水検知器具にあっては、漏水検知センサは偏平な紐状であって、導電性部は漏水検知センサの少なくとも一端部片面において露出するものであるとし、漏水検知器具本体の接続部は、導電性部のそれぞれに導通する複数の電極を備える一面部と、この一面部との間で漏水検知センサの一端部を挟み込む他面部とを備えるものである。すなわち、漏水検知センサを一面部と他面部で挟むだけで漏水検知器具本体に接続することができるため、接続作業が簡単になる。
【図面の簡単な説明】
【００１３】
【図１】本発明に従う漏水検知センサの一実施形態を示す図であって、（ａ）は平面図であり、（ｂ）は（ａ）に示すＡ−Ａに沿う断面図である。
【図２】本発明に従う漏水検知器具として用いられる漏水検知器具本体の一実施形態を、図１に示した漏水検知センサとともに示す斜視図である。
【図３】図１の漏水検知センサと図２の漏水検知器具本体とを接続した状態を示す、接続部中央での断面図である。
【発明を実施するための形態】
【００１４】
以下、図面を参照しながら本発明に従う漏水検知センサと漏水検知器具について説明する。
【００１５】
図１（ａ）、（ｂ）において、符号１は、本発明に従う漏水検知センサの一実施形態を示す。漏水検知センサ１は細長い紐状であって、その横断面形状は丸形状の他、種々の形状のものを採用可能であるが、本実施形態では図１（ｂ）に示すように偏平形状になっている。漏水検知センサ１の一端部２は、後述する漏水検知器具本体に接続される部位であり、他端部３にはホルダ４が取り付けられている。ホルダ４は、例えば漏水検知センサ１を設置する際の持ち手としての機能や、後述するように漏水検知センサ１が繊維で形成されている故のほつれを防止する機能を有している。なお、ホルダ４は省略してもよい。
【００１６】
漏水検知センサ１は、複数本の導電性部５と導電性部５の間を絶縁する絶縁性部６とを備えている。本実施形態の導電性部５は合計２本設けられている。また導電性部５は、漏水検知センサ１の全長に亘って延在しており、絶縁性部６は、２本の導電性部５の相互間、及び各導電性部５の幅方向外側に設けられている。また導電性部５は、少なくとも一端部２の一方面７（後述する基板に接触する面）において露出するものである。本実施形態の導電性部５は、一端部２だけでなく漏水検知センサ１の全長に亘って露出している。また導電性部５は、一方面７だけでなく反対側の他方面８（後述する揺動部に接触する面）においても露出している。
【００１７】
導電性部５は、導電性を有する導電性繊維で形成されている。導電性繊維としては、例えば各種の金属（アルミニウム、銅、硫化銅、亜鉛、錫、銀、ニッケル、クロムなど）やカーボンを、合成繊維（アクリル繊維やナイロン繊維など）や天然繊維に練り込んだり化学結合させたり鍍金を施したりしたものが挙げられる。このような導電性繊維としては、例えばサンダーロン（登録商標：日本蚕毛染色株式会社製）やシルファイバー（登録商標：三菱マテリアル社製）が市販されている。
【００１８】
絶縁性部６は、絶縁性を有するとともに透水性を有する繊維で形成されている。絶縁性部６を形成する繊維としては、このような機能を有するものであれば特に限定されるものではなく、ポリエステル繊維のような合成繊維であっても綿のような天然繊維であってもよい。
【００１９】
そして、これらの繊維を原材料として織物や編物、不織布等を作る手順を採用して布状に仕上げ、更に前述の形態になるように導電性部５及び絶縁性部６を形成して漏水検知センサ１を得ることができる。
【００２０】
次に、図２、図３を参照しながら漏水検知センサ１が接続される漏水検知器具本体について説明する。本実施形態の漏水検知器具本体９は、筐体１０の内部にアラーム等の警報を発する機構を備えている。筐体１０には、漏水検知センサ１の一端部２が接続される接続部１１が設けられている。本実施形態の接続部１１は、筐体１０の一部を切り欠くようにして形成した切り欠き部１２と、筐体１０に対して揺動可能に設けられるとともに切り欠き部１２に収まる揺動部１３とで構成されている。なお切り欠き部１２の幅は、漏水検知センサ１の幅と略同一或いは若干広くなっているため、一端部２を切り欠き部１２に挿入した際の幅方向のずれを抑制することができる。
【００２１】
切り欠き部１２には、複数の導電性部５のそれぞれに導通する複数の電極１４を平坦な上面部（一面部）に形成した基板１５が設けられている。本実施形態の電極１４は、合計２つ設けられている。また本実施形態の基板１５は、各電極１４につながる導電性部５同士が導通した際にアラーム等から警報が発せられるように構成されている。
【００２２】
揺動部１３は、上方に引き上げることで切り欠き部１２が開放されて基板１５が露出する一方、下方に押し下げれば、揺動部１３の平坦な下面部（他面部）が、基板１５の上面部との間で漏水検知センサ１の一端部２を挟み込むように構成されている。本実施形態の揺動部１３は、上方に引き上げる際の指掛かりとなる突出部１６と、下方に押し下げた際に切り欠き部１２に係止され、一端部２を挟み込んだ状態で揺動部１３を維持する係止突起１７が設けられている。本実施形態の漏水検知センサ１は偏平形状であるため、ともに平坦な基板１５の上面部と揺動部１３の下面部との間で安定的に挟み込むことができる。また導電性部５は、一端部２の一方面７だけでなく他方面８においても露出しているため、漏水検知センサ１は表裏を問わずに漏水検知器具本体９に接続することができる。
【００２３】
このような構成になる漏水検知センサ１、及び漏水検知器具本体９を使用するにあたっては、漏水検知センサ１を、漏水を検知するための床下などに予め這わせておく。前述したように漏水検知センサ１は、導電性部５も絶縁性部６も繊維で形成されているため柔軟性がある。従って、床下表面に置くようにして這わせていくだけで設置することができる。
【００２４】
ところで床下で漏水が発生し、漏れた水が漏水検知センサ１に達すると、絶縁性部６は透水性を有する繊維で形成されているため、絶縁性部６に水が浸透する。これにより、２本の導電性部５が水を介して導通するため、漏水検知器具本体９のアラーム等から警報が発せられ、漏水が発生したことを検知することができる。
【００２５】
本発明の漏水検知センサ、及び漏水検知センサと漏水検知器具本体とを備える漏水検知器具は、これまでに述べた実施形態に限定されるものではなく、種々の変更を含むものである。例えば前述の漏水検知センサは導電性部が合計２本であったが、３本以上であってもよい。この場合にあっては、漏水検知器具本体の電極の数も導電性部に合わせることが好ましい。また前述の導電性部は、漏水検知センサの一方面だけでなく他方面においても露出していたが、漏水検知器具本体の電極と接触する側の面のみ露出していてもよい。また、漏水検知器具本体における接続部の構成は、切り欠き部と揺動部の組み合わせに限られず、例えば切り欠き部に対して上下方向に直進するスライド部を設け、スライド部を下方に移動させて前述の基板との間で漏水検知センサの一端部を挟み込むようにしてもよい。また筐体を上下に２つに分け、これらの間に漏水検知センサが挟み込まれるようにしてもよい。
【符号の説明】
【００２６】
１：漏水検知センサ
２：漏水検知センサの一端部
３：漏水検知センサの他端部
４：ホルダ
５：導電性部
６：絶縁性部
７：漏水検知センサの一方面
８：漏水検知センサの他方面
９：漏水検知器具本体
１０：筐体
１１：接続部
１２：切り欠き部
１３：揺動部
１４：電極
１５：基板
１６：突出部
１７：係止突起
【図１】
2017173161.tif 000003
【図２】
2017173161.tif 000004
【図３】
2017173161.tif 000005
【手続補正書】
【提出日】平成28年7月11日(2016.7.11)
【手続補正１】
【補正対象書類名】特許請求の範囲
【補正対象項目名】全文
【補正方法】変更
【補正の内容】
【特許請求の範囲】
【請求項１】
複数本の導電性部と該導電性部の間を絶縁する絶縁性部とを備える偏平な紐状の漏水検知センサであって、
前記導電性部は導電性繊維で形成され、前記絶縁性部は透水性繊維で形成されていて布状になっており、該導電性部は該漏水検知センサの一方面と該一方面の反対側の他方面において該漏水検知センサの全長に亘って露出してなる漏水検知センサ。
【請求項２】
請求項１に記載の漏水検知センサと、該漏水検知センサに接続される接続部を有する漏水検知器具本体とを備え、
前記接続部は、前記導電性部のそれぞれに導通する複数の電極を備える一面部と、該一面部との間で該漏水検知センサの一端部を挟み込む他面部とを備える漏水検知器具。
【手続補正２】
【補正対象書類名】明細書
【補正対象項目名】０００８
【補正方法】変更
【補正の内容】
【０００８】
本発明は、複数本の導電性部と該導電性部の間を絶縁する絶縁性部とを備える偏平な紐状の漏水検知センサであって、前記導電性部は導電性繊維で形成され、前記絶縁性部は透水性繊維で形成されていて布状になっており、該導電性部は該漏水検知センサの一方面と該一方面の反対側の他方面において該漏水検知センサの全長に亘って露出してなる漏水検知センサである。
【手続補正３】
【補正対象書類名】明細書
【補正対象項目名】０００９
【補正方法】削除
【補正の内容】
【手続補正書】
【提出日】平成28年10月19日(2016.10.19)
【手続補正１】
【補正対象書類名】特許請求の範囲
【補正対象項目名】全文
【補正方法】変更
【補正の内容】
【特許請求の範囲】
【請求項１】
複数本の導電性部と該導電性部の間を絶縁する絶縁性部とを備える偏平な紐状の漏水検知センサと、該漏水検知センサに接続される接続部を有する漏水検知器具本体とを備える漏水検知器具であって、
前記導電性部は導電性繊維で形成され、前記絶縁性部は透水性繊維で形成されていて布状になっており、該導電性部は該漏水検知センサの一方面と該一方面の反対側の他方面において該漏水検知センサの全長に亘って露出してなり、
前記接続部は、前記漏水検知器具本体の筐体に設けた切り欠き部と、該筐体に対して揺動可能に設けられるとともに該切り欠き部に収まる揺動部とで構成され、
該切り欠き部は、前記導電性部のそれぞれに導通する複数の電極を備える一面部を有し、
該揺動部は、該一面部との間で前記漏水検知センサの一端部を挟み込む他面部と、該一端部を挟み込んだ状態で該揺動部を該切り欠き部に係止させる係止突起とを有する漏水検知器具。
【手続補正２】
【補正対象書類名】明細書
【補正対象項目名】０００８
【補正方法】変更
【補正の内容】
【０００８】
本発明は、複数本の導電性部と該導電性部の間を絶縁する絶縁性部とを備える偏平な紐状の漏水検知センサと、該漏水検知センサに接続される接続部を有する漏水検知器具本体とを備える漏水検知器具であって、前記導電性部は導電性繊維で形成され、前記絶縁性部は透水性繊維で形成されていて布状になっており、該導電性部は該漏水検知センサの一方面と該一方面の反対側の他方面において該漏水検知センサの全長に亘って露出してなり、前記接続部は、前記漏水検知器具本体の筐体に設けた切り欠き部と、該筐体に対して揺動可能に設けられるとともに該切り欠き部に収まる揺動部とで構成され、該切り欠き部は、前記導電性部のそれぞれに導通する複数の電極を備える一面部を有し、該揺動部は、該一面部との間で前記漏水検知センサの一端部を挟み込む他面部と、該一端部を挟み込んだ状態で該揺動部を該切り欠き部に係止させる係止突起とを有する漏水検知器具である。